(57)【特許請求の範囲】
【請求項１】
表面側に文字の表示手段を備えたネーム表示体と、
このネーム表示体を支持すると共に、貫通孔を有する支持部材と、
前記貫通孔内にあって、前記支持部材を支持する棒状部材と、
この棒状部材の両端を支持する支持体とを備え、
前記貫通孔は、前記支持部材が昇降できる大きさを有し、
前記支持部材の上端が回動できるように、前記支持部材の上端と前記支持体との間に回動空間が形成されている
ことを特徴とするネームプレート。
【請求項２】
表面側に文字の表示手段を備えたネーム表示体と、
このネーム表示体を支持すると共に、貫通孔を有する支持部材と、
前記貫通孔内にあって、前記支持部材を支持する棒状部材と、
この棒状部材の両端を支持する支持体とを備え、
前記貫通孔は、前記支持部材が昇降できる大きさを有し、
前記支持部材の下端が回動できるように、前記支持部材の下端と前記支持体との間に回動空間が形成されている
ことを特徴とするネームプレート。
【請求項３】
支持部材に文字の表示手段を備えたことを
ことを特徴とする請求項１又は請求項２記載のネームプレート。
【請求項４】
支持体の下端に支持部材の操作をする指が入る切り欠き部が形成されている
ことを特徴とする請求項１又は請求項２記載のネームプレート。
【請求項５】
支持部材の回動を阻止するストッパーが支持体に設けられている
ことを特徴とする請求項１又は請求項２記載のネームプレート。
【請求項６】
表面側に文字の表示手段を備えたネーム表示体と、
このネーム表示体を支持すると共に、貫通孔を有する支持部材と、
前記貫通孔内にあって、前記支持部材を支持する棒状部材と、
この棒状部材の両端を支持する支持体とを備え、
表になった前記ネーム表示体の前記支持部材の下端を１８０°回動させて前記支持部材の裏面側が表になるようにし、
回動後、裏面側が表になった前記ネーム表示体の前記支持部材を前記支持体に対し降下するように移動させる
ことを特徴とするネームプレートの移動方法。
【請求項７】
表面側に文字の表示手段を備えたネーム表示体と、
このネーム表示体を支持すると共に、貫通孔を有する支持部材と、
前記貫通孔内にあって、前記支持部材を支持する棒状部材と、
この棒状部材の両端を支持する支持体とを備え、
表になった前記ネーム表示体の前記支持部材を前記支持体に対し上昇するように移動させ、
移動後、前記支持部材の下端を１８０°回動させて前記支持部材の裏面側が表になるようにする
ことを特徴とするネームプレートの移動方法。
【請求項８】
支持部材の裏面側に色付きの反射テープを設け、
前記色で学年を識別する
ことを特徴とする請求項１〜５のいずれかに記載のネームプレート。
【発明の詳細な説明】
【技術分野】
【０００１】
本発明は、ネームプレート及びネームプレートの移動方法に係り、特に、ネームプレートの反転が容易なネームプレート及びネームプレートの移動方法に関する。
【背景技術】
【０００２】
従来、多くの学校現場では、所属学年及び氏名等を表示するネームプレートを生徒に着用させている。このネームプレートは、アクリル板本体の裏面にクリップ又は安全ピンが取り付けられ、このクリップ又は安全ピンを利用して、上着から取り外したり、取り付けたりできるようになっている。
【発明の概要】
【発明が解決しようとする課題】
【０００３】
生徒の登下校時は、防犯対策・不審者対応・安全対策のため、毎回、ネームプレートを取り外している。
そのため、登下校時に、ネームプレートをいちいち取り外したり、装着しなければならず、面倒で時間もかかると共に、ネームプレートを紛失し易いという問題点があった。
【０００４】
本発明は、上記問題点を除去するようにしたネームプレート及びネームプレートの移動方法を提供することを目的とする。
【課題を解決するための手段】
【０００５】
請求項１記載のネームプレートは、表面側に文字の表示手段を備えたネーム表示体と、このネーム表示体を支持すると共に、貫通孔を有する支持部材と、前記貫通孔内にあって、前記支持部材を支持する棒状部材と、この棒状部材の両端を支持する支持体とを備え、前記貫通孔は、前記支持部材が昇降できる大きさを有し、前記支持部材の上端が回動できるように、前記支持部材の上端と前記支持体との間に回動空間が形成されているものである。
【０００６】
また、請求項２記載のネームプレートは、表面側に文字の表示手段を備えたネーム表示体と、このネーム表示体を支持すると共に、貫通孔を有する支持部材と、前記貫通孔内にあって、前記支持部材を支持する棒状部材と、この棒状部材の両端を支持する支持体とを備え、前記貫通孔は、前記支持部材が昇降できる大きさを有し、前記支持部材の下端が回動できるように、前記支持部材の下端と前記支持体との間に回動空間が形成されているものである。
【０００７】
また、請求項３記載のネームプレートは、請求項１又は請求項２記載のネームプレートにおいて、支持部材に文字の表示手段を備えたものである。
【０００８】
また、請求項４記載のネームプレートは、請求項１又は請求項２記載のネームプレートにおいて、支持体の下端に支持部材の操作をする指が入る切り欠き部が形成されているものである。
【０００９】
また、請求項５記載のネームプレートは、請求項１又は請求項２記載のネームプレートにおいて、支持部材の回動を阻止するストッパーが支持体に設けられているものである。
【００１０】
また、請求項６記載のネームプレートの移動方法は、表面側に文字の表示手段を備えたネーム表示体と、このネーム表示体を支持すると共に、貫通孔を有する支持部材と、前記貫通孔内にあって、前記支持部材を支持する棒状部材と、この棒状部材の両端を支持する支持体とを備え、表になった前記ネーム表示体の前記支持部材の下端を１８０°回動させて前記支持部材の裏面側が表になるようにし、回動後、裏面側が表になった前記ネーム表示体の前記支持部材を前記支持体に対し降下するように移動させるものである。
【００１１】
また、請求項７記載のネームプレートの移動方法は、表面側に文字の表示手段を備えたネーム表示体と、このネーム表示体を支持すると共に、貫通孔を有する支持部材と、
前記貫通孔内にあって、前記支持部材を支持する棒状部材と、この棒状部材の両端を支持する支持体とを備え、表になった前記ネーム表示体の前記支持部材を前記支持体に対し上昇するように移動させ、移動後、前記支持部材の下端を１８０°回動させて前記支持部材の裏面側が表になるようにするものである。
【００１２】
また、請求項８記載のネームプレートは、請求項１〜５のいずれかに記載のネームプレートにおいて、支持部材の裏面側に色付きの反射テープを設け、前記色で学年を識別するものである。
【発明の効果】
【００１３】
請求項１記載のネームプレートによれば、支持部材の貫通孔は、前記支持部材が昇降できる大きさを有し、前記支持部材の上端が回動できるように、前記支持部材の上端と前記支持体との間に回動空間が形成されているため、表になったネーム表示体の支持部材の下端を１８０°回動させて前記支持部材の裏面側が表になるようにし、回動後、裏面側が表になった前記ネーム表示体の前記支持部材を支持体に対し降下するように移動させて、ネーム表示体を表から裏に容易に変化させることができる。
【００１４】
また、請求項２記載のネームプレートによれば、支持部材の貫通孔は、前記支持部材が昇降できる大きさを有し、表になったネーム表示体の前記支持部材を支持体に対し、上昇させ、最大上昇時、前記支持部材の下端が回動できるように、前記支持部材の下端と前記支持体との間に回動空間が形成されているため、表になった前記ネーム表示体の前記支持部材を前記支持体に対し上昇するように移動させ、移動後、前記支持部材の下端を１８０°回動させて前記支持部材の裏面側が表になるようにして、ネーム表示体を表から裏に容易に変化させることができる。
【００１５】
また、請求項３記載のネームプレートによれば、上述した請求項１又は請求項２記載の発明の効果に加え、支持部材に文字の表示手段を備えたため、厚み寸法を軽減したコンパクトなネームプレートを得ることができる。
【００１６】
また、請求項４記載のネームプレートによれば、上述した請求項１又は請求項２記載の発明の効果に加え、支持体の下端に支持部材の操作をする指が入る切り欠き部が形成されているため、ネーム表示体の支持部材の反転操作を容易にすると共に、支持体の軽量化をも図ることができる。
【００１７】
また、請求項５記載のネームプレートによれば、上述した請求項１又は請求項２記載の発明の効果に加え、支持部材の回動を阻止するストッパーが支持体に設けられているため、ネーム表示体の表の状態又は裏の状態を確実に保持することができる。
【００１８】
また、請求項６記載のネームプレートの移動方法によれば、表になったネーム表示体の支持部材の下端を１８０°回動させて前記支持部材の裏面側が表になるようにし、回動後、裏面側が表になった前記ネーム表示体の前記支持部材を本体に対し降下するように移動させるため、ネーム表示体を表から裏に容易に変化させることができる。
【００１９】
また、請求項７記載のネームプレートの移動方法によれば、表になったネーム表示体の支持部材を支持体に対し上昇するように移動させ、移動後、前記支持部材の下端を１８０°回動させて前記支持部材の裏面側が表になるようにするため、ネーム表示体を表から裏に容易に変化させることができる。
【００２０】
また、請求項８記載のネームプレートによれば、上述した請求項１〜５のいずれかに記載の発明の効果に加え、支持部材の裏面側に色付きの反射テープを設け、前記色で学年を識別するものであるため、交通の安全を図ると共に、学年を識別することができる。
【図面の簡単な説明】
【００２１】
【図１】図１（ａ）は、本願発明の一実施例のネームプレートの概略的正面図であり、図１（ｂ）は、図１（ａ）の概略的斜視図である。
【図２】図２は、図１の概略的背面図である。
【図３】図３は、図１の概略的平面図である。
【図４】図４（ａ）（ｂ）（ｃ）（ｄ）は、図１のネーム表示体を表から裏に移行させるための概略的断面図であり、図４（ａ）は図１（ａ）のＡ−Ａ線による概略的断面図であり、図４（ｂ）は図４（ａ）のネーム表示体を回動させる状態の概略的断面図であり、図４（ｃ）は図４（ｂ）のネーム表示体の回動を完了した状態の概略的断面図であり、図４（ｄ）は図４（ｃ）のネーム表示体を下降させ、ネーム表示体を裏に移行させた状態の概略的断面図である。
【図５】図５（ａ）（ｂ）（ｃ）（ｄ）は、図４（ａ）（ｂ）（ｃ）（ｄ）と異なる他の方法で、図１（ａ）のネーム表示体を表から裏に移行するための概略的断面図であり、図５（ａ）は図１のＡ−Ａ線による概略的断面図であり、図５（ｂ）は図５（ａ）のネーム表示体を上昇させた状態の概略的断面図であり、図５（ｃ）は図５（ｂ）のネーム表示体を回動させる状態の概略的断面図であり、図５（ｄ）は図５（ｃ）のネーム表示体を回動させ、ネーム表示体を裏に移行させた状態の概略的断面図である。
【図６】図６は、図１のネームプレートと異なる他の実施例のネームプレートの概略的正面図である。
【図７】図７は、図６の概略的左側面図である。
【図８】図８は、図６の概略的斜視図である。
【図９】図９（ａ）（ｂ）（ｃ）（ｄ）（ｅ）は、図６のネーム表示体を表から裏に移行させるための概略的図であり、図９（ａ）は図６の概略的正面図であり、図９（ｂ）は図９（ａ）のネーム表示体を上昇させる状態の概略的断面図であり、図９（ｃ）は図９（ｂ）のネーム表示体を回動させる状態の概略的断面図であり、図９（ｄ）は図９（ｃ）のネーム表示体の回動を完了した状態の概略的断面図であり、図９（ｅ）は図９（ｄ）のネーム表示体を下降させ、ネーム表示体を裏に移行させた状態の概略的断面図である。
【発明を実施するための形態】
【００２２】
本発明の一実施例のネームプレート及びネームプレートの移動方法を図面（図１乃至図５）を参照して説明する。
【００２３】
図１に示すＮはネームプレートで、ネームプレートＮは、表面側に文字の表示手段を備えたネーム表示体１と、このネーム表示体１を支持すると共に、貫通孔２ａを有する支持部材２と、貫通孔２ａ内にあって、支持部材２を支持する棒状部材３と、この棒状部材３の両端を支持する支持体４とを備えている。
【００２４】
支持部材２は、例えば、図１（ｂ）に示すように、第１の板状部材２１、この第１の板状部材２１に対向する第２の板状部材２２、第１の板状部材２１と第２の板状部材２２とを第１、第２の間隔保持部材２３、２４を介して、接着して構成され、貫通孔２ａは、支持部材２が昇降できる大きさ（例えば、第１、第２の板状部材２１、２２、第１、第２の間隔保持部材２３、２４で囲まれた偏平直方体形状の空間）を有し、支持部材２は、図４に示すように、支持部材２の上端が回動できるように、支持部材２の上端と支持体４との間に回動空間Ｘ（図４参照）が形成されている。
なお、支持部材２は、図１（ｂ）に示すように、第１の板状部材２１、この第１の板状部材２１に対向する第２の板状部材２２、第１の板状部材２１と第２の板状部材２２とを第１、第２の間隔保持部材２３、２４を介して接着して構成したが、第１の板状部材２１、第２の板状部材２２、第１、第２の間隔保持部材２３、２４を合成樹脂で一体的に形成しても良い。
【００２５】
即ち、図４に示すように、表になったネーム表示体１の支持部材２を支持体４に対し、支持部材２の上端が回動できるように、支持部材２の上端と支持体４との間に回動空間Ｘが形成されているため、表になったネーム表示体１の支持部材２の下端を１８０°回動させて［図４（ａ）の状態から図４（ｂ）の状態］支持部材２の裏面側が表になるようにし、回動後、裏面側が表になったネーム表示体１の支持部材２を支持体４に対し降下するように移動させて、ネーム表示体１を表から裏に容易に変化させることができる［図４（ｃ）の状態から図４（ｄ）の状態］。   
なお、図２に示す５は、支持部材２の裏面に設けられた交通安全と色で学年を識別（例えば、赤は１年生、青は２年生、黄は３年生）する色付きの反射テープ（カラー反射テープ）で、図２に示す４１、４２は、ネームプレートＮを図示しない衣服に取り付ける糸の通し孔で、図２に示す４３は、支持体４の下端に形成された支持部材２の操作をする指が入る切り欠き部である。
この切り欠き部４３は、ネーム表示体１の支持部材２の反転操作を容易にすると共に、支持体２の軽量化をも図ることができる。
【００２６】
従って、上述した本実施例のネームプレート（ネームプレートの移動方法）Ｎによれば、支持部材２の貫通孔２ａは、支持部材２が昇降できる大きさを有し、支持部材２の上端が回動できるように、支持部材２の上端と支持体４との間に回動空間Ｘが形成されているため、表になったネーム表示体１の支持部材２の下端を１８０°回動させて支持部材２の裏面側が表になるようにし、回動後、裏面側が表になったネーム表示体１の支持部材２を支持体４に対し降下するように移動させて、ネーム表示体１を表から裏に容易に変化させることができる。
【００２７】
上述した実施例においては、図４に示すように、表になったネーム表示体１の支持部材２の下端を１８０°回動させて［図４（ａ）の状態から図４（ｂ）の状態］支持部材２の裏面側が表になるようにし、回動後、裏面側が表になったネーム表示体１の支持部材２を支持体４に対し降下するように移動させて、ネーム表示体１を表から裏に容易に変化させることができる［図４（ｃ）の状態から図４（ｄ）の状態］ようにしたが、本願発明は、これに限らず、図５記載のものでも良い。
【００２８】
図５に示すように、貫通孔２ａは、支持部材２が昇降できる大きさを有し、支持部材２の下端が回動できるように、支持部材２の下端と支持体４との間に回動空間Ｘが形成されている。
即ち、支持部材２を指で把持して、表になったネーム表示体１の支持部材２を支持体４に対し上昇するように移動させ［図５（ａ）の状態から図５（ｂ）の状態］、移動後、支持部材２の下端を１８０°回動させて支持部材２の裏面側が表になるようにすることができる［図５（ｃ）の状態から図５（ｄ）の状態］。
【００２９】
従って、図５記載の実施例のネームプレート（ネームプレートの移動方法）Ｎによれば、支持部材２の貫通孔２ａは、支持部材２が昇降できる大きさを有し、表になったネーム表示体１の支持部材２を支持体４に対し、上昇させ、最大上昇時、支持部材２の下端が回動できるように、支持部材２の下端と支持体４との間に回動空間Ｘが形成されているため、表になったネーム表示体１の支持部材２を支持体４に対し上昇するように移動させ、移動後、支持部材２の下端を１８０°回動させて支持部材２の裏面側が表になるようにして、ネーム表示体１を表から裏に容易に変化させることができる。
【００３０】
なお、図４（ｂ）、図５（ｂ）記載の支持部材２の先端からＺ寸法部分をカットして、図４（ａ）、図５（ａ）記載の支持部材２を左方向によせて、ネームプレートＮの厚みを薄くするようにしても良い。
【００３１】
また、上述した本実施例においては、ネーム表示体１と支持部材２をそれぞれ別個に設けたが、図６乃至図９に示すように、支持部材２にネーム表示機能を持たせるようにしても良い。
また、図６乃至図９においては、支持部材２の回動を阻止するストッパーＳが支持体４に設けられている。
ストッパーＳは、例えば、正面視、支持体４の右下端に支持部材２の右下端の移動を阻止する第１のストッパーＳ１、支持体４の左下端に支持部材２の左下端の移動を阻止する第２のストッパーＳ２が設けられている。
ストッパーＳ（例えば、第１のストッパーＳ１、第２のストッパーＳ２）は、ネーム表示体１の表面側が表又はネーム表示体１の裏面側が裏の状態をそれぞれ確実に保持することができる。
【００３２】
図６乃至図９に示す実施例においては、表になったネーム表示体１の支持部材２を支持体４に対し上昇するように移動させ、移動後、回動空間Ｘを利用して、支持部材２の下端を１８０°回動させて支持部材２の裏面側が表になるようにすることができる。
なお、表になったネーム表示体１の支持部材２の下端を回動させようとすれば、ストッパーＳ（例えば、第１のストッパーＳ１、第２のストッパーＳ２）に当たるため、回動する際、ストッパーＳ（例えば、第１のストッパーＳ１、第２のストッパーＳ２）に当たないように、図９（ｂ）（ｃ）（ｄ）（ｅ）に示すように、ネーム表示体１の支持部材２を支持体４に対し上昇するように移動させ、移動後、表になったネーム表示体１の支持部材２の下端を１８０°回動させて支持部材２の裏面側が表になるようにし、回動後、裏面側が表になったネーム表示体１の支持部材２を支持体４に対し降下するように移動させることができる。
【００３３】
なお、図６乃至図９記載の実施例にあっては、上述した図１乃至図５記載の実施例と同一部分に同一符号を付して、その説明を一部省略する。
【符号の説明】
【００３４】
Ｎ        ネームプレート
１        ネーム表示体
２        支持部材
３        棒状部材
４        支持体
２ａ      貫通孔
Ｘ        回動空間
【要約】
【課題】
本発明の目的は、ネームプレートの反転が容易なネームプレート及びネームプレートの移動方法を提供するものである。
【解決手段】
ネームプレートＮは、表面側に文字の表示手段を備えたネーム表示体１と、このネーム表示体１を支持すると共に、貫通孔２ａを有する支持部材２と、貫通孔２ａ内にあって、支持部材２を支持する棒状部材３と、この棒状部材３の両端を支持する支持体４とを備え、貫通孔２ａは、支持部材２が昇降できる大きさを有し、支持部材２の上端が回動できるように、支持部材２の上端と支持体４との間に回動空間Ｘが形成されているものである。
【選択図】図４【図１】
0006618100.tif 000002
【図２】
0006618100.tif 000003
【図３】
0006618100.tif 000004
【図４】
0006618100.tif 000005
【図５】
0006618100.tif 000006
【図６】
0006618100.tif 000007
【図７】
0006618100.tif 000008
【図８】
0006618100.tif 000009
【図９】
0006618100.tif 000010